【手続補正書】
【提出日】平成21年2月25日(2009.2.25)
【手続補正１】
【補正対象書類名】明細書
【補正対象項目名】全文
【補正方法】変更
【補正の内容】
【書類名】      明細書
【発明の名称】  遊技部材及び遊技機
【特許請求の範囲】
【請求項１】
前記遊技盤の表面に遊技球を排出する少なくとも二つ以上の遊技球排出口とが設けられ、前記遊技球飛込口に入球した遊技球を、前記遊技球排出口の何れかに、振分部により振り分けて案内する遊技部材であって、
前記遊技部材は、
前記遊技盤の遊技領域の略中央に設けられた図柄を変動表示する特別図柄表示装置の側面に設けられ、
前記遊技球飛込口から前記振分部に遊技球を案内する第一の通路と、
前記振分部から前記少なくとも二つ以上の遊技球排出口の内の第一の排出口へ遊技球を案内する第二の通路と、
前記振分部から前記少なくとも二つ以上の遊技球排出口の内の前記第一の排出口とは異なる第二の排出口へ遊技球を案内する第三の通路とを備え、
前記第一の通路と前記第二の通路との接続部に曲面が形成され、
前記振分部は、前記曲面の最低部に形成され、前記第二の通路と前記第三の通路との分岐部において、前記第三の通路に遊技球を導く第一の開口部が設けられ、当該第一の開口部に向けて、前記第一の通路と前記第二の通路との連通方向と直交方向に所定角度の下り勾配面が設けられ、さらに、前記分岐部から第一の遊技球排出口に向けて登り勾配を有したことにより構成したことを特徴とする遊技部材。
【請求項２】
前記第一の開口部に向けて、前記第一の通路と前記第二の通路との連通方向と直交方向に所定角度の下り勾配面が設けられたことを特徴とする請求項１に記載の遊技機。
【請求項３】
前記第一の排出口が、特別図柄表示装置の下部中央に設けられたステージ方向に遊技球を排出する排出口であることを特徴とする請求項１又は２に記載の遊技機。
【発明の詳細な説明】
【０００１】
【発明の属する技術分野】
本発明は、遊技部材及び遊技機に関し、詳細には遊技機の遊技盤の表面に配設され、遊技球の流下方向を変更することが可能な遊技部材及び当該遊技部材を備えた遊技機に関する。
【０００２】
【従来の技術】
従来の遊技機、例えばパチンコ機では、遊技球が流下する遊技盤の中央に液晶表示装置等を備えた図柄表示装置を設け、遊技球が図柄表示装置の直下に設けられている始動口に入球したときに、その図柄表示装置に表示されている数字等の図柄をスクロールして変動表示し、ループカウンター等を用いた抽選結果により大当たりを決定し、その結果に基づいて遊技者に大当たりであることを報知する大当たり図柄や、確率変動や時間短縮等の特別遊技状態が生起することを遊技者に報知する特定大当たり図柄を図柄表示装置に表示するようになっていた。近年は、図柄表示装置にアニメのキャラクター等の各種の図柄を表示することも多くなり、液晶表示装置の画面を大きくするために図柄表示装置が大型化する傾向にある。
【０００３】
【発明が解決しようとする課題】
しかしながら、上記の従来の遊技機では、図柄表示装置が大型化すると、遊技盤の左右端に各々設けられているサイドランプと図柄表示装置との間の遊技球の流下する領域が狭くなり、遊技球の流下方向の変化が乏しくなるという問題点がある。遊技球の流下方向の変化が乏しくなると遊技機本来の遊技性が損なわれ遊技者の遊技意欲が低下するという問題点がある。
【０００４】
本発明は、上記課題を解決するためになされたものであり、遊技機の遊技盤の表面に配設され、遊技球の流下方向を変更することが可能な遊技部材及び遊技機を提供することを目的とする。
【０００５】
【課題を解決するための手段】
上記課題を解決するため、請求項１に係る発明の遊技部材では、遊技球が流下する遊技盤の表面に配設され、少なくとも一つ以上の遊技球飛込口と、前記遊技盤の表面に遊技球を排出する少なくとも二つ以上の遊技球排出口とが設けられ、前記遊技球飛込口に入球した遊技球を、前記遊技球排出口の何れかに、振分部により振り分けて案内する遊技部材であって、前記遊技部材は、前記遊技盤の遊技領域の略中央に設けられた図柄を変動表示する特別図柄表示装置の側面に設けられ、前記遊技球飛込口から前記振分部に遊技球を案内する第一の通路と、前記振分部から前記少なくとも二つ以上の遊技球排出口の内の第一の排出口へ遊技球を案内する第二の通路と、前記振分部から前記少なくとも二つ以上の遊技球排出口の内の前記第一の排出口とは異なる第二の排出口へ遊技球を案内する第三の通路とを備え、前記第一の通路と前記第二の通路との接続部に曲面が形成され、前記振分部は、前記曲面の最低部に形成され、前記第二の通路と前記第三の通路との分岐部において、前記第三の通路に遊技球を導く第一の開口部が設けられ、当該第一の開口部に向けて、前記第一の通路と前記第二の通路との連通方向と直交方向に所定角度の下り勾配面が設けられ、さらに、前記分岐部から第一の遊技球排出口に向けて登り勾配を有したことにより構成したことを特徴とする。
【０００６】
【０００７】
また、請求項２に係る発明の遊技機では、請求項１に記載の発明の遊技部材の構成に加えて、前記第一の開口部に向けて、前記第一の通路と前記第二の通路との連通方向と直交方向に所定角度の下り勾配面が設けられたことを特徴とする。この構成の発明の遊技部材では、請求項１に記載の遊技部材の作用に加え、
【０００８】
また、請求項３に係る発明の遊技部材では、請求項１又は２に記載の発明の遊技部材の構成に加え、前記第一の排出口が、特別図柄表示装置の下部中央に設けられたステージ方向に遊技球を排出する排出口であることを特徴とする。
【０００９】
【００１０】
【００１１】
【００１２】
【００１３】
【００１４】
【００１５】
【００１６】
【００１７】
【００１８】
【発明の実施の形態】
以下、本発明の第一の実施の形態について図面を参照して説明する。まず、本発明の第一の実施の形態のパチンコ機１の機械的構成について図面を参照して説明する。図１はパチンコ機１の正面図である。図１に示すように、パチンコ機１の正面の上半分の部分には、略正方形の遊技盤２が設けられ、遊技盤２には、後述するガイドレール３で囲まれた略円形の遊技領域４が設けられている。パチンコ機１の遊技盤２の下方部には、図示外の発射機に遊技球を供給し、且つ賞品球を受ける上皿５が設けられ、上皿５の直下には、賞品球を受ける下皿６が設けられ、下皿６の右横には発射ハンドル７が、下皿６の上にはスピーカー２７が設けられている。
【００１９】
次に、遊技盤２の機械的構造について図２を参照して説明する。図２はパチンコ機１の遊技盤２の正面図である。遊技盤２には、ステンレス製帯板から構成されたガイドレール３を渦巻き状に配置して、当該ガイドレール３に囲まれた略円形の遊技領域４が設けられている。遊技領域４の略中央には、液晶表示装置２８を備えた特別図柄表示装置８が設けられている。また、特別図柄表示装置８の右上方には電飾風車９が設けられ、左上方にも電飾風車１０が設けられている。さらに、特別図柄表示装置８の右側には普通図柄始動ゲート１１が設けられ、左側にも普通図柄始動ゲート１２が設けられている。
【００２０】
また、特別図柄表示装置８の下側には、特別図柄始動電動役物１５が設けられており、その特別図柄始動電動役物１５の下方には、大入賞口１６が設けられている。さらに、普通図柄始動ゲート１１の下方には、風車３１が設けられ、風車３１の下方には普通入賞口１９が設けられている。また、普通図柄始動ゲート１２の下方には、風車３２が設けられ、風車３２の下方には普通入賞口２０が設けられている。さらに、特別図柄表示装置８の下部には遊技球を暫時載置可能にステージ２１が水平に設けられ、ステージ２１に飛び乗った遊技球は、ステージ２１の直下に設けられている特別図柄始動電動役物１５に向かって落下するようになっている。
【００２１】
また、特別図柄表示装置８の上部には、普通図柄表示装置２４が設けられており、１桁の数字や１文字のアルファベット等の図柄を表示できるようになっている。さらに、特別図柄表示装置８の右下には風車３３が設けられ、特別図柄表示装置８の左下には風車３４が設けられている。また、大入賞口１６の右側には、普通入賞口３５が設けられ、大入賞口１６の左側には、普通入賞口３６が設けられ、大入賞口１６の下部には、入賞しなかった遊技球を回収するアウト口３７が設けられている。
【００２２】
さらに、遊技盤２上の遊技領域４の右端部には、ガイドレール３の内面に沿うように本発明の実施の形態である遊技部材４０が図示外の木ねじにより固定されている。また、遊技盤２上の遊技領域４の左端部には、ガイドレール３の内面に沿うように本発明の実施の形態である遊技部材５０が図示外の木ねじにより固定されている。尚、遊技部材５０は、遊技部材４０と左右対称の構造となっている。さらに、遊技盤２上には、上記以外に、種々の電飾ランプ、その他のＬＥＤ、及び多数の障害釘等が設けられている。
【００２３】
次に、図３乃至図７を参照して、遊技部材４０の構造について説明する。図３は遊技部材４０の正面図であり、図４は、図３に示す遊技部材４０の左側面図であり、図５は、遊技部材４０の表面の蓋板４２を剥がした状態を示す断面図であり、図６は、図５に示す遊技部材４０を斜め上方向から見た斜視図であり、図７は、図５に示す遊技部材４０を裏面の斜め上方向から見た斜視図である。
【００２４】
図３及び図４に示すように、遊技部材４０は、樹脂から構成され、遊技領域４の右側端部でガイドレール３に沿うように右側面が円弧状に形成されている。また、図３に示すハッチング部分が、基板４１の表面から略１７ｍｍの厚さとなっており、当該ハッチング部分に凸部４０ａ及び凸部４０ｂとが形成され、凸部４０ａ及び凸部４０ｂ上に透明な樹脂板から構成された蓋板４２が固定されている。さらに、図３及び図４に示すように、遊技部材４０の左側面の上部には、遊技球８８が入球する遊技球飛込口４０ｃが設けられ、遊技部材４０の左側面の長手方向の真中に、遊技球８８が排出される第一の遊技球排出口４０ｌが設けられ、遊技部材４０の左側面の下部に、遊技球８８が排出される第二の遊技球排出口４０ｍが設けられている。
【００２５】
次に、図５乃至図７を参照して遊技部材４０内部構造について詳細に説明する。尚、図５乃至図７では、遊技部材４０の内部の通路の構造を分かり易くするために、遊技部材４０の蓋板４２を取り去った状態を示している。
【００２６】
図５及び図６に示すように、遊技部材４０では、平面状に形成された樹脂からなる基板４１上に厚さ略１７ｍｍの凸部４０ａと凸部４０ｂとが形成されており、凸部４０ａは遊技部材４０の上部から下部まで長く形成されており、凸部４０ｂは遊技部材４０の上部左側に凸部４０ａと対向して設けられ、凸部４０ａと凸部４０ｂとの間に、第一の通路４０ｄと、振分部４０ｆと、第二の通路４０ｅとが形成され、また、上下方向に長く形成されている凸部４０ａの下端部から上に略四分の一の部分から下端部に亘って、第三の通路４０ｊが形成されている。また、凸部４０ｂの内部にはランプ６０が設けられており、点滅及び点灯が可能となっており、凸部４０ａの下部の内部にもランプ６１が設けられており、点滅及び点灯が可能となっている。さらに、基板４１には、遊技部材４０を遊技盤２に木ねじにより固定するためのねじ孔４１ａ，４１ｂが基板４１の上端部及び下端部に各々設けられている。
【００２７】
次に、遊技球８８を案内する各通路及び振分部４０ｆについて説明する。図５及び図６に示すように、遊技部材４０では、遊技球飛込口４０ｃから、第一の開口部４０ｇが基板４１に形成された振分部４０ｆまで、遊技球８８を案内する第一の通路４０ｄが形成されている。また、遊技部材４０では、第一の開口部４０ｇが基板４１に形成された振分部４０ｆから第一の遊技球排出口４０ｌまで、遊技球８８を案内する第二の通路４０ｅが形成されている。第一の通路４０ｄは、図５及び図６に示すように、まず、遊技球飛込口４０ｃから右斜め下方向に一定角度で傾斜して所定長さ形成され、次いで、略下方に向けて所定長さ形成され、その後、曲面４０ｄ１が所定長さ形成され、遊技球８８を振分部４０ｆに案内するように形成されている。
【００２８】
振分部４０ｆは、曲面４０ｄ１の延長上に形成された曲面であるが、第一の開口部４０ｇに向けて所定の角度（例えば、５度乃至１０度）傾斜した傾斜面となっており、勢いの弱い遊技球８８は、重力によりその傾斜面に従って第一の開口部４０ｇに向けて案内され、勢いの良い遊技球８８は、慣性により第二の通路４０ｅに向けて案内されるようになっている。
【００２９】
また、振分部４０ｆから第一の遊技球排出口４０ｌまで、遊技球８８を案内する第二の通路４０ｅは、曲面４０ｄ１から振分部４０ｆを経て形成されている曲面の延長上の曲面から構成された通路であるが、第一の遊技球排出口４０ｌに向けて登り勾配を有している。従って、振分部４０ｆは、遊技球飛込口４０ｃから第一の遊技球排出口４０ｌを繋ぐ第一の通路４０ｄと第二の通路４０ｅとの接続部である曲面の最低部に形成され、第一の通路４０ｄと第二の通路４０ｅの連通方向（通路の長手方向）と略直交方向に所定角度（一例として、５度乃至１０度）の傾斜を有した傾斜面となっている。  
【００３０】
さらに、図５及び図６に示すように、遊技部材４０の下部には、第三の通路４０ｊが形成されている。この第三の通路４０ｊは、基板４１の下端部から略三分の一の所に形成された第二の開口部４０ｉから、遊技球８８を第二の遊技球排出口４０ｍに排出するために設けられており、第二の開口部４０ｉから略下方に向けて所定長さ形成され、その後、第二の遊技球排出口４０ｍに向けて左斜め下方向への一定角度で勾配を有して所定長さ形成されている。
【００３１】
また、図６及び図７に示すように、遊技部材４０では、基板４１の裏側に、内部が空洞の案内箱４０ｎが固着され、当該案内箱４０ｎは第一の開口部４０ｇ及び第二の開口部４０ｉを覆っている。また、案内箱４０ｎの内部の底部には、第一の開口部４０ｇから案内箱４０ｎに入った遊技球８８を第二の開口部４０ｉへ案内するために第二の開口部４０ｉへ向けて傾斜した所定長さの凸部である傾斜突起４０ｒが設けられている。従って、基板４１の第一の開口部４０ｇから案内箱４０ｎ内に入球した遊技球８８は、案内箱４０ｎの底部に落下し、傾斜突起４０ｒの上を転がって、第二の開口部４０ｉへ案内され、第二の開口部４０ｉから第三の通路４０ｊへ排出されることになる。
【００３２】
尚、図２に示すように、遊技部材５０は、遊技部材４０とは構造上左右対称となっているのみなので、内部構造も上記の遊技部材４０と左右対称となっており、ここでの説明は省略する。
【００３３】
次に、上記の第一の実施の形態のパチンコ機１及び遊技部材４０の作用について説明する。図２に示す遊技盤２上を流下する遊技球８８が障害釘にはじかれて、図５及び図６に示す遊技部材４０の遊技球飛込口４０ｃに入球すると、遊技球８８は第一の通路４０ｄを流下して、振分部４０ｆに到達する。ここで、遊技球８８の転がりの勢いが良いときには、遊技球８８は、慣性により振分部４０ｆで、第一の開口部４０ｇに振り分けられずに第二の通路４０ｅをそのまま転がって、第一の遊技球排出口４０ｌから排出される。第一の遊技球排出口４０ｌは、図２に示す遊技盤２上に設けられた普通図柄始動ゲート１１の右上に開口しているので、第一の遊技球排出口４０ｌから排出された遊技球８８は、普通図柄始動ゲート１１を通過したり、また、普通図柄始動ゲート１１の上を飛び越えて、障害釘に案内されて、風車３３を経て、特別図柄始動電動役物１５に入賞し易くなる。
【００３４】
また、遊技部材４０の遊技球飛込口４０ｃに入球し、第一の通路４０ｄを流下して、振分部４０ｆに到達した遊技球８８の転がりの勢いが弱いときには、遊技球８８は、重力により振分部４０ｆの第一の開口部４０ｇへ向けた傾斜面に従って振分部４０ｆから第一の開口部４０ｇへ転がって、第一の開口部４０ｇから図７に示す案内箱４０ｎ内に入球する。入球した遊技球８８は、案内箱４０ｎの底部に落下し、傾斜突起４０ｒの上を転がって、第二の開口部４０ｉへ案内され、第二の開口部４０ｉから第三の通路４０ｊへ排出されて、第二の遊技球排出口４０ｍから排出され、図２に示す風車３１方向へ流下することになる。従って、遊技部材４０により、遊技球８８の流下方向に変化を与えることができる。
【００３５】
また、遊技部材４０の蓋板４２は、透明の樹脂板により構成されて、第一の通路４０ｄ、第二の通路４０ｅ、振分部４０ｆ、第三の通路４０ｊ等が見えるようになっているので、振分部４０ｆにより遊技球８８がどちらの通路に振り分けられるかを遊技者は観察することができ、遊技の臨場感を高めることができる。尚、遊技部材５０も遊技部材４０と同様の作用を奏することができる。
【００３６】
次に、図８を参照して、本発明の第二の実施の形態について説明する。図８は、遊技部材４０の変形例の遊技部材１４０を示す正面図である。第二の実施の形態の遊技部材１４０は、上記第一の実施の形態の遊技部材４０の上部に、遊技球８８が入球する第二の遊技球飛込口４０ｓを遊技球飛込口４０ｃとは別に設けたものである。図８に示すように第二の遊技球飛込口４０ｓも第一の通路４０ｄに接続され、その他の構造は遊技部材４０と同一となっているものである。
【００３７】
この第二の実施の形態では、第二の遊技球飛込口４０ｓから入球した遊技球８８は、第二の遊技球飛込口４０ｓから第一の通路４０ｄに沿ってほぼ落下することになるために、遊技球８８が勢い良く転がって振分部４０ｆに到達する。従って、遊技球８８は、慣性により振分部４０ｆで、第一の開口部４０ｇに振り分けられずに第二の通路４０ｅをそのまま転がって、第一の遊技球排出口４０ｌから排出される。第一の遊技球排出口４０ｌは、図２に示す遊技盤２上に設けられた普通図柄始動ゲート１１の右上に開口しているので、第一の遊技球排出口４０ｌから排出された遊技球８８は、普通図柄始動ゲート１１を通過したり、また、普通図柄始動ゲート１１の上を飛び越えて、障害釘に案内されて、風車３３を経て、特別図柄始動電動役物１５に入賞し易くなる。
【００３８】
また、遊技部材４０の遊技球飛込口４０ｃに入球した遊技球８８は、第一の通路４０ｄを流下して振分部４０ｆに到達するが、遊技球８８の転がりの勢いは第二の遊技球飛込口４０ｓから入球した遊技球８８より弱いので、遊技球８８は重力により振分部４０ｆの第一の開口部４０ｇへ向けた傾斜面に従って振分部４０ｆから第一の開口部４０ｇへ転がって、第一の開口部４０ｇから図７に示す案内箱４０ｎ内に入球する。入球した遊技球８８は、案内箱４０ｎの底部に落下し、傾斜突起４０ｒの上を転がって、第二の開口部４０ｉへ案内され、第二の開口部４０ｉから第三の通路４０ｊへ排出されて、第二の遊技球排出口４０ｍから排出され、図２に示す風車３１方向へ流下することになる。従って、遊技部材４０により、遊技球８８の流下方向に変化を与えることができる。なお、第二の実施の形態でも、遊技部材５０も上記遊技部材１４０と同様の構造にしても良い。
【００３９】
次に、図９乃至図１２を参照して、本発明の第三の実施の形態について説明する。図９は、第三の実施の形態のパチンコ機の遊技盤２０２の正面図であり、図１０は、第三の実施の形態の遊技部材２４０の正面図であり、図１１は、第三の実施の形態の遊技部材２４０を斜め上から見た斜視図であり、図１２は、第三の実施の形態の遊技部材２４０を裏から見た斜視図である。第三の実施の形態では、遊技部材２４０をガイドレール２０３で囲まれた遊技領域２０４の右側端部と特別図柄表示装置２０８との略中間に設け、また、遊技部材２５０を遊技領域２０４の左側端部と特別図柄表示装置２０８との略中間に設けたものである。なお、遊技部材２４０は、図１０乃至図１２に示すように上記遊技部材４０と同様の構造となっており、遊技部材２５０も上記遊技部材５０と同様の構造となっている。
【００４０】
この第三の実施の形態では、遊技部材２４０の遊技球飛込口２４０ａに飛び込んだ遊技球８８は、遊技球８８の勢いが良いと第一の遊技球排出口２４０ｂから排出され、一列に並んだ障害釘２０１に案内されて特別図柄始動電動役物２１５の上部入賞口２１５ａに入賞し易くなる。また、遊技部材２４０の遊技球飛込口２４０ａに飛び込んだ遊技球８８は、遊技球８８の勢いが弱いと第二の遊技球排出口２４０ｃから排出され、一列に並んだ障害釘２０２に案内されて特別図柄始動電動役物２１５の下部入賞口２１５ｂに案内されるが、下部入賞口２１５ｂは、一定タイミングで開閉されるために入賞の機会は限られる。
【００４１】
また、遊技部材２５０の遊技球飛込口２５０ａに飛び込んだ遊技球８８は、遊技球８８の勢いが良いと第一の遊技球排出口２５０ｂから排出され、一列に並んだ障害釘２０３に案内されて特別図柄始動電動役物２１５の上部入賞口２１５ａに入賞し易くなる。また、遊技部材２５０の遊技球飛込口２５０ａに飛び込んだ遊技球８８は、遊技球８８の勢いが弱いと第二の遊技球排出口２５０ｃから排出され、一列に並んだ障害釘２０４に案内されて特別図柄始動電動役物２１５の下部入賞口２１５ｂに案内されるが、下部入賞口２１５ｂは、一定タイミングで開閉されるために入賞の機会は限られる。
【００４２】
次に、図１３を参照して、本発明の第四の実施の形態について説明する。図１３は、第四の実施の形態のパチンコ機の遊技盤３０２の正面図である。第四の実施の形態では、上記遊技部材４０と同様の構造をもつ遊技部材３４０を特別図柄表示装置３０８の右側面に設け、また、上記遊技部材５０と同様の構造をもつ遊技部材３５０を特別図柄表示装置３０８の左側面に設けて、各々、所謂ワープ通路として構成したものである。
【００４３】
図１３に示すように、遊技部材３５０の遊技球飛込口（ワープ口）３５０ａに入球した遊技球８８は、遊技球８８の勢いが良いと第一の遊技球排出口３５０ｂから排出され、ワープ通路３１０を通って、ワープ出口３１１からステージ３２１に排出される。そして、ステージ３２１から特別図柄始動電動役物３１５の上部入賞口３１５ａに向けて落下する。従って、遊技球８８の特別図柄始動電動役物３１５の上部入賞口３１５ａに入賞し易くなる。また、遊技部材３５０の遊技球飛込口（ワープ口）３５０ａに飛び込んだ遊技球８８は、遊技球８８の勢いが弱いと第二の遊技球排出口３５０ｃから排出され、一列に並んだ障害釘３０３に案内されて特別図柄始動電動役物３１５の上部入賞口３１５ａに案内される。
【００４４】
また、遊技部材３４０の遊技球飛込口（ワープ口）３４０ａに入球した遊技球８８は、遊技球８８の勢いが良いと第一の遊技球排出口３４０ｂから排出され、ワープ通路３０９を通って、ワープ出口３１２からステージ３２１に排出される。そして、ステージ３２１から特別図柄始動電動役物３１５の上部入賞口３１５ａに向けて落下する。従って、遊技球８８の特別図柄始動電動役物３１５の上部入賞口３１５ａに入賞し易くなる。また、遊技部材３４０の遊技球飛込口（ワープ口）３４０ａに飛び込んだ遊技球８８は、遊技球８８の勢いが弱いと第二の遊技球排出口３４０ｃから排出され、一列に並んだ障害釘３０４に案内されて特別図柄始動電動役物３１５の上部入賞口３１５ａに案内される。
【００４５】
以上説明したように、本実施の形態のパチンコ機では、特別図柄表示装置３０８のワープ通路として、本発明を適用したので、遊技球８８の勢いによって、遊技球８８をステージ３２１に排出されるか否かの振り分けを行うことができ、遊技性を高めることができる。
【００４６】
尚、本発明は、パチンコ機に限られず、パチコン機等の遊技機に適用可能なことは言うまでもない。また、本発明は各種の変形が可能であることは言うまでもない。例えば、電飾ランプ６０、６１は、電球に限られず発光ダイオード等を用いても良い。また、電飾ランプ６０、６１は必ずしも設けなくても良い。また、第一の実施の形態では、遊技部材４０は、蓋板４２を設けているが、必ずしも蓋板４２を設ける必要はない。さらに、上記の実施の形態では、遊技球の排出口は２つ設けられているが、必ずしも２つに限られず、３個、４個等の任意の複数個設けても良い。例えば、第三の通路４０ｊに分岐を設けて遊技球の排出口を増やしても良い。
【００４７】
【発明の効果】
以上説明したように、請求項１に係る発明の遊技部材では、遊技球飛込口に入球した遊技球は、第一の通路により振分部に案内され、流下の勢いの良い遊技球は、第二の通路により振分部から前記第一の排出口へ案内され、流下の勢いの弱い遊技球は、前記振分部の下り勾配面を転がって、第一の開口部に入り、第三の通路に入球して第二の排出口へ案内される。従って、遊技球の流下の勢いによって、何れの排出口に遊技球を排出するのかの振り分けを行うことができ、遊技球の流下に変化を持たせることができる。
【００４８】
また、請求項２に係る発明の遊技部材では、請求項１に記載の遊技部材の効果に加え、前記第一の開口部に向けて、前記第一の通路と前記第二の通路との連通方向と直交方向に所定角度の下り勾配面が設けられているので、遊技球飛込口に入球した遊技球は、第一の通路により振分部に案内され、勢いの良い遊技球は、第二の通路により振分部から前記第一の排出口へ案内され、勢いの弱い遊技球は、前記振分部の下り勾配面を転がって、第一の開口部に入り、第三の通路に入球して第二の排出口へ案内される。
【００４９】
【００５０】
また、請求項３に係る発明の遊技部材では、請求項１又は２に記載の遊技部材の効果に加え、前記第一の排出口が、特別図柄表示装置の下部中央に設けられたステージ方向に遊技球を排出するので、前記第一の排出口から排出される遊技球は特別図柄表示装置を始動させる始動口へ入球することができる。
【００５１】
【００５２】
【００５３】
【００５４】
【００５５】
【００５６】
【００５７】
【図面の簡単な説明】
【図１】
図１はパチンコ機１の正面図である。
【図２】
図２はパチンコ機１の遊技盤２の正面図である。
【図３】
図３は遊技部材４０の正面図である。
【図４】
図４は、図３に示す遊技部材４０の左側面図である。
【図５】
図５は、遊技部材４０の表面の蓋板４２を剥がした状態を示す図である。
【図６】
図６は、図５に示す遊技部材４０を斜め上方向から見た斜視図である。
【図７】
図７は、図５に示す遊技部材４０を裏面の斜め上方向から見た斜視図である。
【図８】
図８は、第二の実施の形態の遊技部材１４０を示す正面図である。
【図９】
図９は、第三の実施の形態の遊技盤２０２の正面図である。
【図１０】
図１０は、第三の実施の形態の遊技部材２４０の正面図である。
【図１１】
図１１は、第三の実施の形態の遊技部材２４０を斜め上から見た斜視図である。
【図１２】
図１２は、第三の実施の形態の遊技部材２４０を裏から見た斜視図である。
【図１３】
図１３は、第四の実施の形態の遊技盤３０２の正面図である。
【符号の説明】
１    パチンコ機
２    遊技盤
３    ガイドレール
４    遊技領域
８    特別図柄表示装置
１１    普通図柄始動ゲート
１２    普通図柄始動ゲート
１５    特別図柄始動電動役物
１６    大入賞口
２１    ステージ
２８    液晶表示装置
４０    遊技部材
４０ａ  凸部
４０ｂ  凸部
４０ｃ  遊技球飛込口
４０ｄ  第一の通路
４０ｅ  第二の通路
４０ｆ  振分部
４０ｇ  第一の開口部
４０ｉ  第二の開口部
４０ｊ  第三の通路
４０ｌ  第一の遊技球排出口
４０ｍ  第二の遊技球排出口
４０ｎ  案内箱
４０ｒ  傾斜突起
４０ｓ  第二の遊技球飛込口
４１    基板
４２    蓋板
５０    遊技部材
６０、６１  電飾ランプ
８８    遊技球
１４０    遊技部材
２０２    遊技盤
２０４    遊技領域
２０８    特別図柄表示装置
２４０    遊技部材
２５０    遊技部材
３０２    遊技盤
３０８    特別図柄表示装置
３１０    ワープ通路
３１１    ワープ出口
３１５    特別図柄始動電動役物
３１５ａ  上部入賞口
３２１    ステージ
３４０    遊技部材
３４０ａ  遊技球飛込口（ワープ口）
３４０ｂ  第一の遊技球排出口
３４０ｃ  第二の遊技球排出口
３５０    遊技部材
３５０ａ  遊技球飛込口（ワープ口）
３５０ｂ  第一の遊技球排出口
３５０ｃ  第二の遊技球排出口